(57)【要約】【課題】  従来の技術による諸問題を解決するため、複数の表示装置を制御できる画像処理システムを提供する。【解決手段】  画像処理システムは、画像処理システムに電力を提供する電源と、それぞれ第一入力端、第二入力端、出力端を有し、第一入力端から受信した画像入力信号を行って出力端で対応する画像出力信号を生成する複数の信号処理回路と、それぞれ電源に結合された入力端、対応する信号処理回路の第二入力端に結合された出力端、制御信号を受信する制御端を有し、制御端から受信した制御信号に基づいて対応する信号処理回路と電源を電気的に導通するか分離させる複数のスイッチ装置とを含む。【選択図】      図３
0003129843.tif 000002
【実用新案登録請求の範囲】
【請求項１】
複数の表示装置を制御できる画像処理システムであって、
画像処理システムに電力を提供する電源と、
それぞれ第一入力端、第二入力端、出力端を有し、第一入力端から受信した画像入力信号を信号処理することにより出力端で画像出力信号を生成する複数の信号処理回路と、
それぞれ電源に結合される入力端、対応する信号処理回路の第二入力端に結合される出力端、制御信号を受信する制御端を有し、制御端から受信した制御信号に基づいて対応する信号処理回路と電源を電気的に導通するか分離させる複数のスイッチ装置とを含むことを特徴とする画像処理システム。
【請求項２】
前記画像処理システムは更に、
対応する信号処理回路の出力端とそれぞれ結合され、対応する信号処理回路の出力端による画像出力信号に基づいて画像を表示する複数の表示装置を含むことを特徴とする請求項１記載の画像処理システム。
【請求項３】
前記画像処理システムは更に、
前記複数の信号処理回路のうち各信号処理回路の第一入力端と結合され、画像に基づいて対応する画像入力信号を生成する再生回路を含むことを特徴とする請求項１記載の画像処理システム。
【請求項４】
前記スイッチ装置は、
スイッチ装置の入力端と結合される第一端と、スイッチ装置の出力端と結合される第二端を有する第一トランジスターと、
接地電位と結合される第一端と、第一トランジスターの制御端と結合される第二端を有する第二トランジスターと、
第一トランジスターの第一端と制御端の間に結合される第一抵抗器と、
第二トランジスターの制御端とスイッチ装置の制御端の間に結合される第二抵抗器と、
第一トランジスターの第二端と接地電位の間に結合されるコンデンサーとを含むことを特徴とする請求項１記載の画像処理システム。
【請求項５】
前記第一トランジスターと第二トランジスターがＢＪＴ（バイポーラー接合トランジスター）またはＭＯＳＦＥＴ（ＭＯＳ電界効果トランジスター）であることを特徴とする請求項４記載の画像処理システム。
【請求項６】
前記信号処理回路はそれぞれ、
信号処理回路の第二入力端と結合される第一端と、接地電位と結合される第二端と、信号処理回路の第一入力端と結合される制御端を有し、制御端から受信した画像入力信号を増幅するトランジスターを含むことを特徴とする請求項１記載の画像処理システム。
【請求項７】
前記信号処理回路はそれぞれ、
トランジスターの第一端と信号処理回路の出力端の間に結合される第一コンデンサーと、
トランジスターの第一端と接地電位の間に結合される第二コンデンサーと、
信号処理回路の出力端と接地電位の間に結合される第三コンデンサーと、
トランジスターの第一端と信号処理回路の第二入力端の間に結合される第三抵抗器と、
トランジスターの第一端と信号処理回路の出力端の間に結合されるインダクターとを含むことを特徴とする請求項６記載の画像処理システム。
【請求項８】
前記トランジスターがＢＪＴまたはＭＯＳＦＥＴであることを特徴とする請求項６記載の画像処理システム。
【請求項９】
前記複数の表示装置が自動車用ＤＶＤ表示スクリーンであることを特徴とする請求項２記載の画像処理システム。
【請求項１０】
前記画像処理システムは更に、複数のスイッチ装置の制御端に結合され、複数の制御信号を生成して対応する複数のスイッチ装置に送信する制御回路を含むことを特徴とする請求項１記載の画像処理システム。
【考案の詳細な説明】
【技術分野】
【０００１】
この考案は画像処理システムに関し、特に複数の表示装置を制御できる画像処理システムに関する。
【背景技術】
【０００２】
現在、ＤＶＤプレイヤーはもはや家庭用に限らず、自動車用のＡＶ（画像音声）装置としても幅広く利用されている。表示パネルの安価化とデジタルテレビ放送の実現に伴い、自動車用ＡＶ装置は普及しつつある。
【０００３】
図１を参照する。図１は従来の自動車用ビデオディスク再生システム１０のブロック図である。自動車用ビデオディスク再生システム１０は電源１２と、信号処理回路１４と、スクリーン１６を有し、スクリーン１６は信号処理回路１４を介して電源１２に結合している。電源１２はスクリーン１６に所要の電力を提供し、スクリーン１６は信号処理回路１４による画像出力信号に基づいて対応する画像を表示する。
【０００４】
技術の発展に伴い、乗客席を含めて複数のスクリーンを有する自動車用ビデオディスク再生システムも現れてきた。図２を参照する。図２はその他従来の自動車用ビデオディスク再生システム２０のブロック図である。自動車用ビデオディスク再生システム２０は電源２２と、複数の信号処理回路２４と、複数のスクリーン２６を有し、スクリーン２６は信号処理回路２４による画像出力信号に基づいて対応する画像を表示する。自動車用ビデオディスク再生システム２０では、映像は複数のスクリーン２６によって表示される。しかし、車内に１名の乗客しかいないときでも映像は複数のスクリーンで流れ、その一部の電源を切ることができないので、無駄な電力消費を招くこととなる。
【考案の開示】
【考案が解決しようとする課題】
【０００５】
この考案は前述の問題を解決するため、複数の表示装置を制御できる画像処理システムを提供することを課題とする。
【課題を解決するための手段】
【０００６】
この考案は複数の表示装置を制御できる画像処理システムを提供する。該画像処理システムは、画像処理システムに電力を提供する電源と、それぞれ第一入力端、第二入力端、出力端を有し、第一入力端から受信した画像入力信号を行って出力端で対応する画像出力信号を生成する複数の信号処理回路と、それぞれ電源に結合される入力端、対応する信号処理回路の第二入力端に結合される出力端、制御信号を受信する制御端を有し、制御端から受信した制御信号に基づいて対応する信号処理回路と電源を電気的に導通するか分離させる複数のスイッチ装置とを含む。
【考案の効果】
【０００７】
この考案による自動車用ビデオディスク再生システムは電源から信号処理回路とスクリーンまでの信号経路をスイッチ装置で制御する。それによって使用者は表示スクリーンを自由に選べる。
【考案を実施するための最良の形態】
【０００８】
かかる装置の特徴を詳述するために、具体的な実施例を挙げ、図示を参照して以下に説明する。
【実施例１】
【０００９】
図３を参照する。図３はこの考案の実施例１による自動車用ビデオディスク再生システム３０のブロック図である。自動車用ビデオディスク再生システム３０は電源３２と、制御回路３３と、複数の信号処理回路３４と、再生回路３５と、複数のスクリーン３６と、複数のスイッチ装置３８を有する。電源３２は信号処理回路３４とスクリーン３６に所要の電力を提供する。複数の信号処理回路３４に結合する再生回路３５は表示画像に関連する画像入力信号を生成して各信号処理回路３４に送信し、信号処理回路３４は受信した画像入力信号に基づいて画像出力信号を対応するスクリーン３６に送信する。制御回路３３は複数の制御信号を生成して対応するスイッチ装置３８に送信し、その切り替えを制御する。各それぞれ対応するスイッチ装置３８と信号処理回路３４を介して電源３２に結合したスクリーン３６は、対応する信号処理回路３４による画像出力信号に基づいて対応する画像を表示する。制御信号を受けてスイッチ装置３８が導通されれば、対応するスクリーン３６は電源３２と信号処理回路３４に電気的に接続することとなる。そうすればスクリーン３６は電源３２から電力を受け、信号処理回路３４による画像出力信号に基づいて対応する画像を表示する。制御信号を受けてスイッチ装置３８がオフにされれば、対応するスクリーン３６は電源３２と信号処理回路３４に電気的に分離することとなり、スクリーン３６は画像を表示しない。したがって、実施例１による自動車用ビデオディスク再生システム３０は電源３２から信号処理回路３４とスクリーン３６までの信号経路をスイッチ装置３８で制御し、使用者はすべてのスクリーン３６に映像を表示させるか、または一部のスクリーン３６のみ映像を表示させるか自由に選べる。
【実施例２】
【００１０】
図４を参照する。図４はこの考案の実施例２による自動車用ビデオディスク再生システム４０のブロック図である。自動車用ビデオディスク再生システム４０は電源４２と、制御回路４３と、複数の信号処理回路４４と、複数のスクリーン４６と、複数のスイッチ装置４８を含む。各スイッチ装置４８の入力端ａは電源４２に結合し、各信号処理回路４４の第二入力端ｄは対応するスイッチ装置４８の出力端ｂにそれぞれ結合し、出力端ｅは対応するスクリーン４６に結合している。制御回路４３による制御信号ＳＷを受けてスイッチ装置４８が導通されれば、電源４２は当該スイッチ装置４８を介して対応する信号処理回路４４に電気的に接続することとなり、信号処理回路４４はその第一入力端ｃから受信した画像入力信号Ｖｉｎを処理し、出力端ｅで対応する画像出力信号Ｖｏｕｔを生成して対応するスクリーン４６に送信して表示させる。実施例２では、画像入力信号Ｖｉｎは図３に示されるような再生回路３５で生成される。
【００１１】
実施例２による自動車用ビデオディスク再生システム４０では、スイッチ装置４８はそれぞれ第一コンデンサーＣ１と、第一・第二トランジスターＱ１・Ｑ２と、第一・第二抵抗器Ｒ１・Ｒ２を含む。第一・第二トランジスターＱ１・Ｑ２はＢＪＴ（バイポーラー接合トランジスター）、ＭＯＳＦＥＴ（ＭＯＳ電界効果トランジスター）またはその他機能の類似した素子であり、ここでＢＪＴを例にする。第一トランジスターＱ１のエミッターはスイッチ装置４８の入力端ａに結合し、第一トランジスターＱ１のコレクターはスイッチ装置４８の出力端ｂに結合し、第一抵抗器Ｒ１は第一トランジスターＱ１のエミッターとベースの間に結合している。それに対し、第二トランジスターＱ２のエミッターは接地電位に結合し、第二トランジスターＱ２のコレクターは第一トランジスターＱ１のベースに結合し、第二トランジスターＱ２のベースは第二抵抗器Ｒ２を介して制御信号ＳＷに結合している。使用者は制御信号ＳＷで第二トランジスターＱ２をオンにし、進んで第一抵抗器Ｒ１の両端電圧で第一トランジスターＱ１をオンにし、スイッチ装置４８の入力端ａと出力端ｂを電気的に接続させることができる。
【００１２】
実施例２による自動車用ビデオディスク再生システム４０では、信号処理回路４４はそれぞれ第二・第三・第四コンデンサーＣ２〜Ｃ４と、インダクターＬと、第三トランジスターＱ３と、第三抵抗器Ｒ３を含む。第三トランジスターＱ３はＢＪＴ、ＭＯＳＦＥＴまたはその他機能の類似した素子であり、ここでＢＪＴを例にする。第三トランジスターＱ３のエミッターは第三抵抗器Ｒ３を介して信号処理回路４４の第二入力端ｄに結合し、第三トランジスターＱ３のコレクターは接地電位に結合し、第三トランジスターＱ３のベースは信号処理回路４４の第一入力端ｃに結合している。それに対し、並列接続したインダクターＬと第二コンデンサーＣ２は第三トランジスターＱ３のエミッターと信号処理回路４４の出力端ｅの間に結合し、第三コンデンサーＣ３は第三トランジスターＱ３のエミッターと接地電位の間に結合し、第四コンデンサーＣ４は信号処理回路４４の出力端ｅと接地電位の間に結合している。信号処理回路４４はその第一入力端ｃの画像入力信号Ｖｉｎを増幅して出力端ｅで対応する画像出力信号Ｖｏｕｔを生成し、更に画像出力信号Ｖｏｕｔを対応するスクリーン４６に送信する。
【００１３】
この実施例では、制御信号ＳＷは図３に示されるような制御回路３３で生成される。使用者が制御信号ＳＷでスイッチ装置４８をオンにすれば、電源４２は対応する信号処理回路４４に電気的に接続することとなる。それを受けて信号処理回路４４は画像入力信号Ｖｉｎを処理して対応する画像出力信号Ｖｏｕｔを生成し、対応するスクリーン４６は画像出力信号Ｖｏｕｔに基づいて画像を表示する。そのため、使用者は制御回路４３による制御信号ＳＷのみで表示スクリーン４６の数を制御でき、すなわち各スクリーン４６の切り替えを制御できる。もっとも、前記の自動車用ビデオディスク再生システムは一例に過ぎず、この考案は複数の出力スクリーンを有するその他の画像処理システムにも適する。
【００１４】
以上はこの考案に好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【産業上の利用可能性】
【００１５】
この考案を利用すれば、使用者は制御信号のみで各スクリーンの切り替えを制御できる。
【図面の簡単な説明】
【００１６】
【図１】従来の自動車用ビデオディスク再生システムのブロック図である。
【図２】その他従来の自動車用ビデオディスク再生システムのブロック図である。
【図３】この考案の実施例１による自動車用ビデオディスク再生システムのブロック図である。
【図４】この考案の実施例２による自動車用ビデオディスク再生システムのブロック図である。
【符号の説明】
【００１７】
１０、２０、３０、４０  自動車用ビデオディスク再生システム
１２、２２、３２、４２  電源
１４、２４、３４、４４  信号処理回路
１６、２６、３６、４６  スクリーン
３３、４３  制御回路
３５  再生回路
３８  スイッチ装置
ａ、ｃ、ｄ  入力端
ｂ、ｅ  出力端
Ｃ１−Ｃ４  コンデンサー
Ｌ    インダクター
Ｑ１−Ｑ３  トランジスター
Ｖｉｎ  画像入力信号
Ｖｏｕｔ  画像出力信号
【図１】
0003129843.tif 000003
【図２】
0003129843.tif 000004
【図３】
0003129843.tif 000005
【図４】
0003129843.tif 000006